(57)【要約】【課題】新たな操作性を実現する画像形成装置を提供する。【解決手段】画開閉検知センサー１６４が、原稿押さえ部材１６２が開かれた状態から閉じられた状態への遷移を検知した場合、画像形成制御部１０１は、画像形成装置１の内部に記憶された画像データ、又は、外部機器との通信により得られた画像データに基づく画像形成を、画像形成部１２に実行させる。【選択図】図７
2015080130.tif 000002
【特許請求の範囲】
【請求項１】
コンタクトガラスと、
前記コンタクトガラスの主面に対して開閉自在に設けられる原稿押さえ部材と、
前記原稿押さえ部材の開閉を検知する開閉検知センサーと、
記録紙上に画像を形成する画像形成部と、
前記画像形成部の動作を制御する画像形成制御部と、を備え、
前記画像形成制御部は、前記開閉検知センサーが、前記原稿押さえ部材が開かれた状態から閉じられた状態への遷移を検知した場合、当該装置内部に記憶されたユーザーにより指定された画像データ、又は、外部機器との通信により得られた画像データに基づく画像形成を、前記画像形成部に実行させる、画像形成装置。
【請求項２】
前記原稿押さえ部材は、閉じられた状態のときに前記コンタクトガラスの前記主面に対向することになる位置に表示部を有し、
ＰＣとしての情報処理を制御し、当該ＰＣとしての情報処理結果を前記表示部に表示させる情報処理制御部、を更に備え、
前記画像形成制御部は、前記開閉検知センサーが、前記原稿押さえ部材が開かれた状態から閉じられた状態への遷移を検知した場合、前記表示部に表示されている画像データに基づく画像形成を、前記画像形成部に実行させる、請求項１に記載の画像形成装置。
【請求項３】
画像形成制御用のオペレーティングシステムを含む第１のプログラム、及び、ＰＣとしての情報処理制御用のオペレーティングシステムを含む第２のプログラムを記憶する記憶部と、プロセッサとを、更に備え、
前記プロセッサは、前記第１のプログラムを実行することで前記画像形成制御部として機能し、前記第２のプログラムを実行することで前記情報処理制御部として機能する、請求項２に記載の画像形成装置。
【請求項４】
通信を行う外部機器を特定する機器特定部、を更に備え、
前記画像形成制御部は、前記開閉検知センサーが、前記原稿押さえ部材が開かれた状態から閉じられた状態への遷移を検知した場合、前記機器特定部により特定された外部機器との通信を行い、当該通信により得られた画像データに基づく画像形成を、前記画像形成部に実行させる、請求項１に記載の画像形成装置。
【請求項５】
前記コンタクトガラスに載置される前記原稿を光学的に読み取る原稿読取ユニットを、更に備え、
前記画像形成制御部は、前記開閉検知センサーが、前記原稿押さえ部材が開かれた状態から閉じられた状態への遷移を検知した場合、前記原稿読取ユニットの動作を制御して、前記コンタクトガラスに載置される前記原稿を読み取らせ、
前記機器特定部は、前記原稿読取ユニットによる前記原稿の読み取りにより得られた画像データに含まれる特定の符号画像データを探索し、当該符号画像データに示される情報に基づき前記外部機器を特定する、請求項４に記載の画像形成装置。
【請求項６】
前記機器特定部は、前記外部機器の表示部に表示される表示画面を前記原稿読取ユニットにより読み取ることで、前記符号画像データを取得する、請求項５に記載の画像形成装置。
【請求項７】
コンタクトガラスと、
前記コンタクトガラスの主面に対して開閉自在に設けられる原稿押さえ部材と、
前記原稿押さえ部材の上側に配置される原稿載置台と、
記録紙上に画像を形成する画像形成部と、
前記画像形成部の動作を制御する画像形成制御部と、を備え、
前記画像形成制御部は、予め定められたユーザー操作を受け付けた場合、前記原稿載置台に載置された外部機器との通信を行い、当該通信により前記外部機器の表示部に表示された画像データを取得し、その画像データに基づく画像形成を、前記画像形成部に実行させる、画像形成装置。
【発明の詳細な説明】
【技術分野】
【０００１】
本発明は、画像形成装置に関する。
【背景技術】
【０００２】
従来、画像形成装置には、複数の指示キー及び表示パネルを有する操作部が設けられている。ユーザーは、指示キーを用いて、表示パネルに表示されるメニュー画面に対する操作を行う。画像形成装置は、画像形成を実行させる旨の操作を受け付けると、画像形成装置内部に記憶された画像データやＰＣ、スマートフォン等の外部機器との通信により得られた画像データに基づく画像形成を実行する。
【先行技術文献】
【特許文献】
【０００３】
【特許文献１】特開平８−２９３９５４号公報
【発明の概要】
【発明が解決しようとする課題】
【０００４】
画像形成装置には、さらなる操作性の向上が求められている。上記の指示キー等を用いた操作方法に加えて、新たな操作方法を提供することで、ユーザーによる操作の幅を広げることができる。
【０００５】
そこで本発明は、新たな操作性を実現する画像形成装置を提供することを目的とする。
【課題を解決するための手段】
【０００６】
本発明の一局面にかかる画像形成装置は、コンタクトガラスと、前記コンタクトガラスの主面に対して開閉自在に設けられる原稿押さえ部材と、前記原稿押さえ部材の開閉を検知する開閉検知センサーと、記録紙上に画像を形成する画像形成部と、前記画像形成部の動作を制御する画像形成制御部と、を備え、前記画像形成制御部は、前記開閉検知センサーが、前記原稿押さえ部材が開かれた状態から閉じられた状態への遷移を検知した場合、当該装置内部に記憶されたユーザーにより指定された画像データ、又は、外部機器との通信により得られた画像データに基づく画像形成を、前記画像形成部に実行させる、画像形成装置である。
【発明の効果】
【０００７】
本発明によれば、画像形成装置内部に記憶された画像データやＰＣ、スマートフォン等の外部機器との通信により得られた画像データに基づく画像形成を指示する新たな操作方法を提供することができ、ユーザーによる操作の幅を広げることができる。
【０００８】
また、「原稿押さえ部材を閉じる」という従来原稿をコピーする際に行っていた操作と同じ操作で、画像形成装置内部に記憶された画像データ等を画像形成させることができるため、あたかも、画像形成装置内部に記憶された画像データ等を光学的に読み取って画像形成しているかのような操作感を、ユーザーに与えることができる。
【図面の簡単な説明】
【０００９】
【図１】本発明の実施の形態１にかかる原稿読取装置を備える画像形成装置の構造を示す正面断面図である。
【図２】本発明の実施の形態１にかかる原稿読取装置を備える画像形成装置の外観を示す斜視図である。
【図３】本発明の実施の形態１にかかる原稿読取装置において、原稿押さえ部材が開かれた状態における外観を示す斜視図である。
【図４】本発明の実施の形態１にかかる画像形成装置の主要内部構成を示す機能ブロック図である。
【図５】本発明の実施の形態１にかかる表示パネルに表示されるメニュー画面の一例を示す図である。
【図６】本発明の実施の形態１にかかる画像形成装置の動作の流れを示すフローチャートである。
【図７】本発明の実施の形態１にかかる画像形成装置における画像形成処理の流れを示すフローチャートである。
【図８】本発明の実施の形態２にかかる画像形成装置の主要内部構成を示す機能ブロック図である。
【図９】本発明の実施の形態２にかかる外部機器の表示部に表示される表示画面の一例を示す図である。
【図１０】本発明の実施の形態２にかかる外部機器の表示部に表示される表示画面を原稿読取装置により読み取る様子を示す図である。
【図１１】本発明の実施の形態２にかかる画像形成装置における画像形成処理の流れを示すフローチャートである。
【図１２】本発明の実施の形態３にかかる画像形成装置の主要内部構成を示す機能ブロック図である。
【図１３】本発明の実施の形態３にかかる画像形成装置の外観を示す斜視図である。
【図１４Ａ】変形例にかかる画像形成システムの外観を示す斜視図であり、原稿押さえ部材が閉じられた状態における外観を示す。
【図１４Ｂ】変形例にかかる画像形成システムの外観を示す斜視図であり、原稿押さえ部材が開かれた状態における外観を示す。
【発明を実施するための形態】
【００１０】
以下、本発明の一実施形態にかかる画像形成装置について図面を参照して説明する。
【００１１】
＜実施の形態１＞
図１は、本発明の実施の形態１にかかる原稿読取装置２０を備える画像形成装置１の構造を示す正面断面図である。図２は、本発明の実施の形態１にかかる原稿読取装置２０を備える画像形成装置１の外観を示す斜視図である。図３は、本発明の実施の形態１にかかる原稿読取装置２０において、原稿押さえ部材１６２が開かれた状態における外観を示す斜視図である。
【００１２】
画像形成装置１は、例えば、コピー機能、プリンター機能、スキャナー機能、及びファクシミリ機能等の複数の機能を兼ね備えた複合機である。画像形成装置１は、装置本体１１と、装置本体１１の上方に対向配置された原稿読取装置２０と、原稿読取装置２０と装置本体１１との間に設けられた連結部３０とから概略構成される。
【００１３】
装置本体１１は、画像形成部１２、定着部１３、給紙部１４、用紙排出部１５、等を備えて構成されている。
【００１４】
画像形成装置１が原稿読取動作を行う場合、原稿搬送部６により搬送されてくる原稿、又は後述するコンタクトガラス１６１に載置された原稿の画像を原稿読取部５が光学的に読み取り、画像データを生成する。原稿読取部５により生成された画像データは内蔵ＨＤＤ又はネットワーク接続されたコンピューター等に保存される。
【００１５】
画像形成装置１が画像形成動作を行う場合は、原稿読取動作により生成された画像データ、ネットワーク接続されたコンピューターやスマートフォン等の外部機器から受信した画像データ、又は内蔵ＨＤＤに記憶されている画像データ等に基づいて、画像形成部１２が、給紙部１４から給紙される記録媒体としての記録紙Ｐにトナー像を形成する。画像形成部１２の画像形成ユニット１２Ｍ、１２Ｃ、１２Ｙ、及び１２Ｂｋは、感光体ドラムと、感光体ドラムへトナーを供給する現像装置と、トナーを収容するトナーカートリッジと、帯電装置と、露光装置と、１次転写ローラー１２６とをそれぞれ備えている。
【００１６】
カラー印刷を行う場合、画像形成部１２のマゼンタ用の画像形成ユニット１２Ｍ、シアン用の画像形成ユニット１２Ｃ、イエロー用の画像形成ユニット１２Ｙ及びブラック用の画像形成ユニット１２Ｂｋは、それぞれに、画像データを構成するそれぞれの色成分からなる画像に基づいて、帯電、露光及び現像の工程により感光体ドラム１２１上にトナー像を形成し、トナー像を１次転写ローラー１２６により、駆動ローラー１２５Ａ及び従動ローラー１２５Ｂに張架されている中間転写ベルト１２５上に転写させる。
【００１７】
中間転写ベルト１２５は、その外周面にトナー像が転写される像担持面が設定され、感光体ドラム１２１の周面に当接した状態で駆動ローラー１２５Ａによって駆動される。中間転写ベルト１２５は、各感光体ドラム１２１と同期しながら、駆動ローラー１２５Ａと従動ローラー１２５Ｂとの間を無端走行する。
【００１８】
中間転写ベルト１２５上に転写される各色のトナー画像は、転写タイミングを調整して中間転写ベルト１２５上で重ね合わされ、カラーのトナー像となる。２次転写ローラー２１０は、中間転写ベルト１２５の表面に形成されたカラーのトナー像を、中間転写ベルト１２５を挟んで駆動ローラー１２５Ａとのニップ部Ｎにおいて、給紙部１４から搬送路１９０を搬送されてきた記録紙Ｐに転写させる。この後、定着部１３が、記録紙Ｐ上のトナー像を熱圧着により記録紙Ｐに定着させる。定着処理の完了したカラー画像形成済みの記録紙Ｐは、排出トレイ１５１に排出される。
【００１９】
原稿読取装置２０は、連結部３０の上端部に支持されている。原稿読取装置２０は、原稿読取部５と、原稿搬送部６とを備えている。
【００２０】
原稿読取部５は、原稿読取部筐体５Ａの上面開口に装着された、原稿を載置するためのコンタクトガラス１６１を備えている。コンタクトガラス１６１には、載置された原稿を読み取る不図示の原稿固定読取部と、原稿搬送部６により搬送される原稿を読み取る不図示の原稿搬送読取部とがある。原稿読取部５は、さらに、コンタクトガラス１６１に載置された原稿を押さえる開閉自在の原稿押さえ部材１６２と、コンタクトガラス１６１の原稿固定読取部に載置された原稿及びコンタクトガラス１６１の原稿搬送読取部へ搬送される原稿の各画像を読み取る原稿読取ユニット１６３と、原稿読取部筐体５Ａの上面に設けられ、原稿押さえ部材１６２の開閉を検知する開閉検知センサー１６４と、を備えている。原稿読取ユニット１６３は、ＣＣＤ（Charge Coupled Device）やＣＭＯＳ（Complementary Metal Oxide Semiconductor）等のイメージセンサーを用いて原稿の画像を光学的に読み取り、画像データを生成する。
【００２１】
図３に示すように、原稿押さえ部材１６２は、液晶ディスプレイ（ＬＣＤ：Liquid Crystal Display）や有機ＥＬ（ＯＬＥＤ：Organic Light-Emitting Diode）ディスプレイを含んで構成される表示部１６５を有している。表示部１６５は、原稿押さえ部材１６２が閉じられた状態のときに、原稿が載置されるコンタクトガラス１６１の主面に対向することになる位置に設けられている。
【００２２】
詳細は後述するが、本実施の形態にかかる画像形成装置１は、所謂ＰＣとしても利用可能な画像形成装置であって、原稿の読み取り、画像の形成、ファクシミリ通信等を行う第１の動作モードに加えて、所謂ＰＣとしての情報処理を行う第２の動作モードを有する。表示部１６５は、原稿押さえ部材１６２が開かれた状態において、上記の第２の動作モードにおける所謂ＰＣとしての情報処理を表示する画面として用いられる。図３に示す例では、表示部１６５には、第２の動作モードにおいて、文章作成ソフト、表計算ソフト等の複数のアプリケーションにより描画された画面Ｄ１が表示されている。また、表示部１６５は、原稿押さえ部材１６２が閉じられた状態において、白色画面が表示される。表示部１６５に白色画面を表示させることで、原稿の読み取りの際に原稿読取ユニット１６３から出射された光を高反射率で反射することができる。
【００２３】
また、図３に示す例では、表示部１６５に用いられるディスプレイの画面サイズは、原稿押さえ部材１６２の平面方向のサイズと略同サイズとなっている。このように、原稿押さえ部材１６２のコンタクトガラス１６１の主面に対向する位置に表示部１６５を設けるため、後述する操作部４７の表示パネル４７３に用いられるディスプレイよりも大型のディスプレイを表示部１６５に用いることができる。大型のディスプレイを用いることができるため、表示部１６５は、文章作成、表計算等の所謂ＰＣとしての情報処理を表示させるのに適している。
【００２４】
原稿搬送部６は、原稿が載置される原稿載置台６１と、画像読み取り済みの原稿が排出される原稿排出部６６と、原稿搬送機構６５と、を備える。原稿搬送機構６５は、不図示の給紙ローラー、搬送ローラー、及び用紙反転機構を備えている。原稿搬送機構６５は、給紙ローラー及び搬送ローラーの駆動により、原稿載置台６１に載置された原稿を１枚ずつ繰り出してコンタクトガラス１６１の原稿搬送読取部へ搬送して原稿読取ユニット１６３による読取を可能とした後、原稿排出部６６へと排出する。
【００２５】
原稿読取装置２０の前面には、操作部４７が配置されている。図２に示すように、操作部４７は、複数の指示キー４７１、及び表示パネル４７３を備えている。表示パネル４７３は、液晶ディスプレイや有機ＥＬディスプレイを含んで構成され、前述の第１の動作モードにおいて描画されたメニュー画面等が表示される。
【００２６】
指示キー４７１は、例えば、メニューを呼び出すメニューキー、メニューを構成するＧＵＩのフォーカスを移動させる矢印キー、メニューを構成するＧＵＩに対して確定操作を行う決定キー、文字入力を行うための文字入力キー、数値入力を行うための数値入力キー等を備え、表示パネル４７３に表示されるメニューに対する操作をユーザーから受け付ける。また、指示キー４７１は、表示部１６５に表示される第２の動作モードにおけるＰＣとしての情報処理により描画された画像に対する操作をユーザーから受け付ける。
【００２７】
また、操作部４７には、マウスやトラックボール等のポインティングデバイスを接続可能な接続端子４７４が設けられている。当該接続端子４７４にポインティングデバイスを接続することで、第２の動作モードにおいて、表示部１６５上に表示されるポインタを操作することができる。なお、操作部４７に、タッチパッド等のポインティングデバイスを内蔵してもよい。
【００２８】
次に、画像形成装置１の構成を説明する。図４は、画像形成装置１の主要内部構成を示す機能ブロック図である。
【００２９】
画像形成装置１は、制御ユニット１０を備える。制御ユニット１０は、ＣＰＵ(central processing unit)、ＲＡＭ、ＲＯＭ及び専用のハードウェア回路等から構成され、画像形成装置１の全体的な動作制御を司る。
【００３０】
画像処理部３１は、原稿読取部５で読み取られた画像の画像データや第２の動作モードにおけるＰＣとしての情報処理により生成された画像データを必要に応じて画像処理する。例えば、画像処理部３１は、原稿読取部５により読み取られた画像が画像形成部１２により画像形成された後の品質を向上させるために、シェーディング補正等の予め定められた画像処理を行う。
【００３１】
画像メモリー３２は、原稿読取部５による読取で得られた原稿画像のデータを一時的に記憶したり、画像形成部１２のプリント対象となるデータを一時的に保存する領域である。
【００３２】
画像形成部１２は、原稿読取部５で読み取られた画像データ、ネットワーク接続された外部機器から受信した画像データ、ＨＤＤ９２に記憶された画像データ、第２の動作モードにおけるＰＣとしての情報処理により生成された画像データ等の画像形成を行う。
【００３３】
ファクシミリ通信部７１は、図略の符号化／復号化部、変復調部及びＮＣＵ（network control unit）を備え、公衆電話回線網を用いてのファクシミリの受信及び送信を行うものである。
【００３４】
ネットワークインターフェース部９１は、インターネットを介したウェブサーバーとの通信時やＬＡＮを介した外部機器との通信時等に、これらの通信に必要な処理を行う。
【００３５】
ＨＤＤ（ハードディスクドライブ）９２は、大容量の記憶装置であって、原稿読取部５によって読み取られた画像データや第２の動作モードにおけるＰＣとしての情報処理により生成された画像データ等を記憶する。
【００３６】
また、ＨＤＤ９２は、第１のプログラム９３及び第２のプログラム９４を記憶している。第１のプログラム９３は、原稿の読み取り、画像の形成、ファクシミリ通信等を制御する画像形成制御用のオペレーティングシステム（組み込み用のオペレーティングシステム）である第１のＯＳ９３１、及び当該第１のＯＳ上で動作する第１のアプリケーション９３２と、を含む。また、第２のプログラム９４は、ＰＣとしての情報処理制御用のオペレーティングシステム（汎用のオペレーティングシステム）である第２のＯＳ９４１、及び当該第２のＯＳ９４１上で動作する第２のアプリケーション９４２を含む。
【００３７】
ここで、組み込み用のオペレーティングシステムとは、例えば、ＩＴＲＯＮ等のリアルタイムオペレーティングシステムであって、特定の機能を実現するために情報機器等に組み込まれるオペレーティングシステムを意味する。また、汎用のオペレーティングシステムとは、例えば、Ｗｉｎｄｏｗｓ（登録商標）、Ｕｎｉｘ（登録商標）、Ｌｉｎｕｘ（登録商標）等の所謂ＰＣ等に用いられるオペレーティングを意味する。なお、Ｌｉｎｕｘ（登録商標）等のオペレーティングシステムやそのカスタマイズ版のオペレーティングシステムが、特定の機能を実現するために情報機器等に組み込まれる場合があるが、その場合、Ｌｉｎｕｘ（登録商標）等のオペレーティングシステムは、組み込み用のオペレーティングシステムに該当することになる。
【００３８】
制御ユニット１０は、第１の制御部１００と、第２の制御部１０４と、動作決定部１０８と、を備えている。制御ユニット１０内のメモリー又はＲＯＭ、或いはＨＤＤ９２等に記憶されたプログラムに従ってＣＰＵが動作することで、これら各部として機能する。特に、ＣＰＵは、ＨＤＤ９２に記憶された第１のプログラム９３に従って動作することで、第１の制御部１００として機能し、第２のプログラム９４に従って動作することで、第２の制御部１０４として機能する。
【００３９】
動作決定部１０８は、画像形成装置１を、原稿の読み取り、画像の形成、ファクシミリ通信等を行う第１の動作モードに加えて、所謂ＰＣとしての情報処理を行う第２の動作モードで実行させるか否かを決定する。操作部４７の指示キー４７１には、画像形成装置１を第２の動作モードで実行させるか否かを決定する決定キーが設けられており、当該決定キーが受け付けたユーザー操作に従い、動作決定部１０８は、第２の動作モードで実行させるか否かを決定する。なお、動作決定部１０８が操作部４７の表示パネル４７３上にメニュー画面を表示させ、そのメニュー画面に対するユーザー操作に従い、第２の動作モードで実行させるか否かを決定してもよい。
【００４０】
動作決定部１０８が、画像形成装置１を第２の動作モードで実行させることを決定した場合、ＣＰＵは、ＨＤＤ９２に記憶された第２のプログラム９４を読み込む。そして、ＣＰＵが、第２のプログラム９４に従って動作することで第２の制御部１０４として機能し、第２の動作モードが実行される。
【００４１】
第１の制御部１００は、画像形成制御部１０１と、スキャナー制御部１０２と、ファクシミリ制御部１０３と、を備え、前述の第１の動作モードにおいて、原稿の読み取り、画像の形成、ファクシミリ通信等を行う。第１のプログラム９３の第１のアプリケーション９３２は、画像形成制御用のアプリケーション、スキャナー制御用のアプリケーション、及びファクシミリ制御用のアプリケーションを含み、第１のＯＳ９３１上で、上記の各アプリケーションがＣＰＵにより実行されることにより、画像形成制御部１０１、スキャナー制御部１０２、及びファクシミリ制御部１０３の各制御部として機能する。
【００４２】
画像形成制御部１０１は、原稿読取部５で読み取られた画像データや第２の動作モードにおける情報処理により生成された画像データ等の画像形成を画像形成部１２に行わせる。スキャナー制御部１０２は、コンタクトガラス１６１に載置された原稿の読み取りを原稿読取装置２０に行わせる。ファクシミリ制御部１０３は、ファクシミリの受信及び送信をファクシミリ通信部７１に行わせる。上記の画像形成制御部１０１、スキャナー制御部１０２、及びファクシミリ制御部１０３の各制御部は、操作部４７の表示パネル４７３にメニュー画面を表示し、当該メニュー画面に対するユーザーからの操作に従い、上記の印刷制御、スキャナー制御、ファクシミリ制御の各制御を行う。
【００４３】
動作決定部１０８が、画像形成装置１を第２の動作モードで実行させることを決定した場合、ＣＰＵは、ＨＤＤ９２に記憶された第２のプログラム９４を読み込み、第２のプログラム９４に従って動作することで、第２の制御部１０４として機能する。
【００４４】
第２の制御部１０４は、情報処理部１０５と、描画処理部１０６と、ネットワーク制御部１０７と、を備え、第２の動作モードにおいて、所謂ＰＣとしての情報処理を行う。
【００４５】
第２のプログラム９４の第２のアプリケーション９４２には、文章作成ソフト、表計算ソフト、ウェブブラウザ等が含まれる。これらのアプリケーションに関する情報処理やネットワーク処理等の種々の処理は、情報処理部１０５やネットワーク制御部１０７により実行され、その実行結果は、描画処理部１０６により表示部１６５に表示される。また、第２の動作モードにおいて、操作部４７が受け付けたユーザーの操作は、情報処理部１０５により解析される。情報処理部１０５は、操作部４７が受け付けたユーザーの操作に基づく情報処理を行う。
【００４６】
描画処理部１０６は、開閉検知センサー１６４により原稿押さえ部材１６２が閉じられた状態が検知された場合、表示部１６５に白色画面を表示させる。表示部１６５に白色画面を表示させることで、第１の動作モードにおける原稿の読み取りの際に、原稿読取ユニット１６３から出射された光を高反射率で反射することができ、コンタクトガラス１６１に載置された原稿を原稿読取ユニット１６３が読み取ることができる。
【００４７】
また、第１の制御部１００の画像形成制御部１０１は、第２の動作モードにおいて、表示部１６５に表示されている画像データに基づく画像形成を画像形成部１２に行わせる。具体的には、画像形成制御部１０１は、開閉検知センサー１６４が、原稿押さえ部材１６２が開かれた状態から閉じられた状態への遷移を検知した場合において、表示部１６５に表示されている画像データのうち画像形成対象となる画像データが存在するか否かを判定する。画像形成対象となる画像データは、操作部４７の指示キー４７１等により受け付けられたユーザー操作に基づき決定される。画像形成対象となる画像データが存在する場合、画像形成制御部１０１は、表示パネル４７３に図５に示すようなメニュー画面Ｄ２を表示させる。操作部４７により画像データを画像形成する旨の指示が受け付けられた場合、画像形成制御部１０１は、制御ユニット１０のＲＡＭやＨＤＤ９２に記憶されているその画像データの画像形成を画像形成部１２に行わせる。
【００４８】
すなわち、本実施の形態にかかる画像形成装置１では、ユーザーが表示部１６５に表示された画面をコピーするような動作（原稿押さえ部材１６２を閉じる動作）を行った場合において、その表示部１６５に表示された画面を原稿読取ユニット１６３により光学的に読み取った画像データを画像形成するのではなく、第２の動作モードにおいて作成されて制御ユニット１０のＲＡＭやＨＤＤ９２に記憶されている画像データを画像形成する。このため、画像形成装置１の内部に記憶された画像データに基づく画像形成を指示する新たな操作方法を提供することができ、ユーザーによる操作の幅を広げることができる。また、「原稿押さえ部材を閉じる」という従来原稿をコピーする際に行っていた操作と同じ操作で、画像形成装置１の内部に記憶された画像データを画像形成させることができるため、あたかも、画像形成装置１の内部に記憶された画像データ等を光学的に読み取って画像形成しているかのような操作感を、ユーザーに与えることができる。
【００４９】
次に、上記の構成を備える画像形成装置１の動作について説明する。図６は、画像形成装置１の動作の流れを示すフローチャートである。
【００５０】
図６に示すように、画像形成装置１に電源が投入されると（ステップＳ１１においてＹＥＳ）、制御ユニット１０のＣＰＵは、制御ユニット１０内のメモリー又はＲＯＭ、或いはＨＤＤ９２等に記憶された第１のプログラム９３を実行する（ステップＳ１２）。これにより、制御ユニット１０のＣＰＵは、原稿の読み取り、画像の形成、ファクシミリ通信等の制御を行う第１の制御部１００として機能する。
【００５１】
第１のプログラム９３の実行後、動作決定部１０８は、画像形成装置１を、原稿の読み取り、画像の形成、ファクシミリ通信等を行う第１の動作モードに加えて、所謂ＰＣとしての情報処理を行う第２の動作モードで実行させるか否かを判定する（ステップＳ１３）。具体的には、動作決定部１０８は、操作部４７の指示キー４７１が受け付けたユーザー操作に従い、第２の動作モードで実行させるか否かを決定する。
【００５２】
画像形成装置１を第２の動作モードで実行させることを決定した場合（ステップＳ１３においてＹＥＳ）、制御ユニット１０のＣＰＵは、制御ユニット１０内のメモリー又はＲＯＭ、或いはＨＤＤ９２等に記憶された第２のプログラム９４を実行する（ステップＳ１４）。これにより、制御ユニット１０のＣＰＵは、所謂ＰＣとしての情報処理を制御する第２の制御部１０４として機能する。
【００５３】
第２のプログラム９４の実行後、第２の制御部１０４の描画処理部１０６は、開閉検知センサー１６４から出力される信号に基づき、原稿押さえ部材１６２が開かれた状態にあるか否かを判定する（ステップＳ１５）。
【００５４】
原稿押さえ部材１６２が開かれた状態にあると判定された場合（ステップＳ１５においてＹＥＳ）、描画処理部１０６は、表示部１６５に、第２の制御部１０４の情報処理部１０５やネットワーク制御部１０７により実行された第２のプログラム９４の実行結果を表示させる（ステップＳ１６）。すなわち、第２のプログラム９４の実行中において、原稿押さえ部材１６２の表示部１６５は、所謂ＰＣとしての情報処理結果を表示する表示装置として機能する。
【００５５】
原稿押さえ部材１６２が閉じられた状態にあると判定された場合（ステップＳ１５においてＮＯ）、描画処理部１０６は、表示部１６５に白色画面を表示させる（ステップＳ１７）。
【００５６】
また、画像形成装置１を第２の動作モードで実行させないことを決定した場合（ステップＳ１３においてＮＯ）、第１の制御部１００は、表示部１６５に白色画面を表示させる（ステップＳ１８）。
【００５７】
次に、画像形成装置１における画像形成処理について説明する。図７は、画像形成装置１における画像形成処理の流れを示すフローチャートである。
【００５８】
まず、制御ユニット１０は、開閉検知センサー１６４から出力される信号に基づき、原稿押さえ部材１６２が開かれた状態から閉じられた状態へ遷移したか否かを判定する（ステップＳ２１）。
【００５９】
原稿押さえ部材１６２が開かれた状態から閉じられた状態へ遷移したと判定された場合（ステップＳ２１においてＹＥＳ）、制御ユニット１０は、第２のプログラム９４が実行中であるか否かを判定する（ステップＳ２２）。
【００６０】
第２のプログラム９４が実行中である場合（ステップＳ２２においてＹＥＳ）、画像形成制御部１０１は、表示部１６５に表示されている画像データのうち画像形成対象となる画像データが存在するか否かを判定する（ステップＳ２３）。
【００６１】
画像形成対象となる画像データが存在する場合（ステップＳ２３においてＹＥＳ）、画像形成制御部１０１は、操作部４７により画像データを画像形成する旨の指示が受け付けられたか否かを判定する（ステップＳ２４）。
【００６２】
画像形成する旨の指示が受け付けられた場合（ステップＳ２４においてＹＥＳ）、画像形成制御部１０１は、画像形成部１２に、表示部１６５に表示されている画像データに基づく画像形成を実行させる（ステップＳ２５）。第２の動作モードにおけるＰＣとしての情報処理により生成された画像データは、制御ユニット１０のＲＡＭやＨＤＤ９２に記憶されており、画像形成制御部１０１は、画像形成部１２に、制御ユニット１０のＲＡＭやＨＤＤ９２に記憶されているその画像データの画像形成を実行させる。
【００６３】
また、第２のプログラム９４が実行中でない場合（ステップＳ２２においてＮＯ）、画像形成制御部１０１は、操作部４７によりコピーをする旨の指示が受け付けられたか否かを判定する（ステップＳ２６）。
【００６４】
コピーをする旨の指示が受け付けられた場合（ステップＳ２６において、ＹＥＳ）、画像形成制御部１０１は、原稿読取装置２０に、原稿の読み取りを実行させる（ステップＳ２７）。そして、画像形成制御部１０１は、画像形成部１２に、原稿読み取りにより得られた画像データに基づく画像形成を実行させる（ステップＳ２８）。
【００６５】
＜実施の形態２＞
実施の形態２にかかる画像形成装置１ａは、実施の形態１で説明した第１の動作モード及び第２の動作モードに加えて、第３の動作モードを有する。第３の動作モードでは、開閉検知センサー１６４が、原稿押さえ部材１６２が開かれた状態から閉じられた状態への遷移を検知した場合において、スマートフォン等の外部機器との通信を行い、当該通信により得られた画像データに基づく画像形成を実行する。
【００６６】
図８は、実施の形態２にかかる画像形成装置１ａの主要内部構成を示す機能ブロック図である。なお、図４に示す本発明の実施の形態１にかかる画像形成装置１と同じ構成については、同符号を付して説明を略する。
【００６７】
図８に示すように、実施の形態２にかかる画像形成装置１ａにおいて、制御ユニット１０ａ、第１の制御部１００ａ、画像形成制御部１０１ａ、動作決定部１０８ａ、機器特定部１０９、及び通信制御部１１０が実施の形態１にかかる画像形成装置１と異なる構成である。
【００６８】
制御ユニット１０ａは、第１の制御部１００ａと、第２の制御部１０４と、動作決定部１０８ａと、機器特定部１０９と、通信制御部１１０とを備えている。
【００６９】
動作決定部１０８ａは、画像形成装置１ａを、上記の第３の動作モードで実行させるか否かを決定する。操作部４７の指示キー４７１には、画像形成装置１を第３の動作モードで実行させるか否かを決定する決定キーを設けられており、当該決定キーが受け付けたユーザー操作に従い、動作決定部１０８ａは、第３の動作モードで実行させるか否かを決定する。なお、動作決定部１０８ａが操作部４７の表示パネル４７３上にメニュー画面を表示させ、そのメニュー画面に対するユーザー操作に従い、第３の動作モードで実行させるか否かを決定してもよい。
【００７０】
機器特定部１０９は、第３の動作モードにおいて、開閉検知センサー１６４が、原稿押さえ部材１６２が開かれた状態から閉じられた状態への遷移を検知した場合に、通信を行うスマートフォン等の外部機器５００を特定する。
【００７１】
通信制御部１１０は、ネットワークインターフェース部９１を用いて、機器特定部１０９により特定された外部機器５００と無線通信を行い、外部機器５００内に記憶されている画像形成対象の画像データを取得する。
【００７２】
画像形成制御部１０１ａは、通信制御部１１０による通信により得られた画像データに基づく画像形成を画像形成部１２に行わせる。
【００７３】
図９及び図１０を用いて、機器特定部１０９、通信制御部１１０、及び画像形成制御部１０１ａが行う処理について更に詳細に説明する。図９は、外部機器５００の表示部５０１に表示される表示画面の一例を示す図である。また、図１０は、外部機器５００の表示部５０１に表示される表示画面を原稿読取装置２０により読み取る様子を示す図である。
【００７４】
図９に示す例では、外部機器５００の表示部５０１には、画像形成対象となる画像データが示される表示画面Ｄ３及び符号画像データ（この例ではＱＲコード（登録商標））が示される表示画面Ｄ４が表示されている。図１０に示すように、この外部機器５００をコンタクトガラス１６１に載置し、原稿押さえ部材１６２を閉じ、原稿読取ユニット１６３で読み取ることにより、外部機器５００の表示部５０１に表示される表示画面に対応する画像データが得られる。
【００７５】
表示画面Ｄ４に示される符号画像データには、外部機器５００との通信経路を特定するための情報が示されている。機器特定部１０９は、原稿読取ユニット１６３による読み取りにより得られた画像データに含まれる特定の符号画像データを探索し、その符号画像データに示される情報に基づき外部機器５００を特定する。通信制御部１１０は、機器特定部１０９が特定した外部機器５００との通信経路を確立し、外部機器５００から送信される表示画面Ｄ３に示されている画像データを受信する。画像形成制御部１０１ａは、通信制御部１１０による通信により得られた画像データに基づく画像形成を画像形成部１２に行わせる。
【００７６】
すなわち、本実施の形態にかかる画像形成装置１ａでは、ユーザーが外部機器５００の表示部５０１に表示された画面をコピーするような動作（原稿押さえ部材１６２を閉じる動作）を行った場合において、その表示部５０１に表示された画面を原稿読取ユニット１６３により光学的に読み取り、読み取った画像データを画像形成するのではなく、外部機器５００に記憶されている画像データを画像形成する。
【００７７】
なお、第３の動作モードでは、外部機器５００の表示画面を原稿読取ユニット１６３で光学的に読み取る必要があるため、図１０に示すように、第１の制御部１００ａの画像形成制御部１０１ａは、原稿押さえ部材１６２の表示部１６５に白色画面を表示させる。
【００７８】
次に、上記の構成を備える画像形成装置１ａの画像形成処理について説明する。図１１は、画像形成装置１ａにおける画像形成処理の流れを示すフローチャートである。なお、図７に示す実施の形態１の画像形成装置１における処理と同じ処理については、同符号を付す。
【００７９】
原稿押さえ部材１６２が開かれた状態から閉じられた状態へ遷移したと判定された場合（ステップＳ２１においてＹＥＳ）、動作決定部１０８ａは、画像形成装置１ａを第３の動作モードで実行させるか否かを決定する（ステップＳ３１）。
【００８０】
第３の動作モードで実行させないことを決定した場合（ステップＳ３１においてＮＯ）、画像形成装置１ａは、ステップＳ２２〜Ｓ２８の処理を行う。これらの処理については、図７を用いて既に説明したため説明を略する。
【００８１】
第３の動作モードで実行させることを決定した場合（ステップＳ３１においてＹＥＳ）、画像形成制御部１０１ａは、原稿読取装置２０に、原稿の読み取りを実行させる（ステップＳ３２）。
【００８２】
機器特定部１０９は、原稿読取装置２０による読み取りにより得られた画像データに含まれる特定の符号画像データを探索する（ステップＳ３３）。
【００８３】
そして、機器特定部１０９は、ステップＳ３３の処理で探索された符号画像データに示される情報に基づき、通信を行う外部機器５００を特定する（ステップＳ３４）。
【００８４】
通信制御部１１０は、機器特定部１０９が特定した外部機器５００との通信経路を確立し、外部機器５００から送信される表示画面Ｄ３に示されている画像データを受信する（ステップＳ３５）。
【００８５】
画像形成制御部１０１ａは、通信制御部１１０による通信により得られた画像データに基づく画像形成を画像形成部１２に行わせる（ステップＳ３６）。
【００８６】
以上説明したように、上記の実施の形態１にかかる画像形成装置１では、画開閉検知センサー１６４が、原稿押さえ部材１６２が開かれた状態から閉じられた状態への遷移を検知した場合、画像形成制御部１０１が、画像形成装置１の内部に記憶された画像データに基づく画像形成を、画像形成部１２に実行させる。また、上記の実施の形態２にかかる画像形成装置１ａでは、画開閉検知センサー１６４が、原稿押さえ部材１６２が開かれた状態から閉じられた状態への遷移を検知した場合、画像形成制御部１０１ａが、外部機器５００との通信により得られた画像データに基づく画像形成を、画像形成部１２に実行させる。
【００８７】
上記の構成によれば、画像形成装置１や外部機器５００の内部に記憶された画像データに基づく画像形成を指示する新たな操作方法を提供することができ、ユーザーによる操作の幅を広げることができる。
【００８８】
また、「原稿押さえ部材を閉じる」という従来原稿をコピーする際に行っていた操作と同じ操作で、画像形成装置１や外部機器５００の内部に記憶された画像データを画像形成させることができるため、あたかも、画像形成装置１や外部機器５００の内部に記憶された画像データ等を光学的に読み取って画像形成しているかのような操作感を、ユーザーに与えることができる。
【００８９】
また、上記の実施の形態１にかかる画像形成装置１では、原稿押さえ部材１６２が、閉じられた状態のときにコンタクトガラス１６１の主面に対向することになる位置に表示部１６５を有する。また、第２の制御部１０４（情報処理制御部）は、ＰＣとしての情報処理を制御し、当該ＰＣとしての情報処理結果を表示部１６５に表示させる。そして、画像形成制御部１０１は、開閉検知センサー１６４が、原稿押さえ部材１６２が開かれた状態から閉じられた状態への遷移を検知した場合、表示部１６５に表示されている画像データに基づく画像形成を、画像形成部１２に実行させる。
【００９０】
上記の構成によれば、画像形成装置１の外部に表示装置を別途用意する必要がなく、簡易な構成で、画像形成装置１をＰＣとしても利用することができる。また、原稿押さえ部材１６２のコンタクトガラス１６１の主面に対向する位置に表示部１６５を設けるため、操作部４７の表示パネル４７３に用いられるディスプレイよりも大型のディスプレイを表示部１６５に用いることができる。大型のディスプレイを用いることができるため、表示部１６５は、文章作成、表計算等の所謂ＰＣとしての情報処理を表示させるのに適する。
【００９１】
また、上記の実施の形態１にかかる画像形成装置１では、記憶部９２が、画像形成制御用の第１のオペレーティングシステム９３１を含む第１のプログラム９３、及び、ＰＣとしての情報処理制御用の第２のオペレーティングシステム９４１を含む第２のプログラム９４を記憶する。制御ユニット１０のＣＰＵ（プロセッサ）は、第１のプログラム９３を実行することで画像形成制御部１０１として機能し、第２のプログラム９４を実行することで第２の制御部１０４として機能する。
【００９２】
上記の構成によれば、Ｗｉｎｄｏｗｓ（登録商標）のＰＣとしての情報処理制御用のオペレーティングシステム上で動作する文章作成ソフト等を実行することができる。
【００９３】
また、上記の実施の形態２にかかる画像形成装置１ａでは、開閉検知センサー１６４が、原稿押さえ部材１６２が開かれた状態から閉じられた状態への遷移を検知した場合に、画像形成制御部１０１ａが、原稿読取ユニット１６３の動作を制御して、コンタクトガラス１６１に載置される前記原稿を読み取らせる。そして、機器特定部１０９は、原稿読取ユニット１６３による原稿の読み取りにより得られた画像データに含まれる特定の符号画像データを探索し、当該符号画像データに示される情報に基づき外部機器５００を特定する。
【００９４】
上記の構成によれば、機器特定部１０９は、「原稿押さえ部材を閉じる」という従来原稿をコピーする際に行っていた操作と同じ操作で、外部機器５００を特定することができる。
【００９５】
＜実施の形態３＞
実施の形態３にかかる画像形成装置１ｂは、実施の形態１及び実施の形態２で説明した第１の動作モード及び第２の動作モードに加えて、第４の動作モードを有する。第４の動作モードでは、予め定められたユーザー操作を検出した場合に、原稿載置台に載置された外部機器との通信を行い、当該通信により得られた画像データに基づく画像形成を行う。
【００９６】
図１２は、実施の形態３にかかる画像形成装置１ｂの主要内部構成を示す機能ブロック図である。なお、図４に示す本発明の実施の形態１にかかる画像形成装置１、及び、図８に示す本発明の実施の形態２にかかる画像形成装置１ａと同じ構成については、同符号を付して説明を略する。
【００９７】
図１２に示すように、実施の形態３にかかる画像形成装置１ｂにおいて、制御ユニット１０ｂ、第１の制御部１００ｂ、画像形成制御部１０１ｂ、動作決定部１０８ｂ、機器特定部１０９ｂ、及び通信制御部１１０ｂが実施の形態１にかかる画像形成装置１及び実施の形態２にかかる画像形成装置１ａと異なる構成である。
【００９８】
制御ユニット１０ｂは、第１の制御部１００ｂと、第２の制御部１０４と、動作決定部１０８ｂと、機器特定部１０９ｂと、通信制御部１１０ｂとを備えている。
【００９９】
動作決定部１０８ｂは、画像形成装置１ｂを、上記の第４の動作モードで実行させるか否かを決定する。操作部４７の指示キー４７１には、画像形成装置１を第４の動作モードで実行させるか否かを決定する決定キーを設けられており、当該決定キーが受け付けたユーザー操作に従い、動作決定部１０８ｂは、第４の動作モードで実行させるか否かを決定する。
【０１００】
機器特定部１０９ｂは、第４の動作モードにおいて、予め定められたユーザー操作、例えば、操作部４７のコピーボタンの押下操作を検出した場合に、通信を行うスマートフォン等の外部機器５００を特定する。
【０１０１】
図１３は、本発明の実施の形態３にかかる画像形成装置１ｂの外観を示す斜視図である。図１３に示すように、原稿載置台６１には、識別情報読取部６１ｂが設けられている。当該識別情報読取部６１ｂは、例えばＲＦＩＤ（Radio Frequency IDentification）リーダーであって、原稿載置台６１に載置された外部機器５００に埋め込まれたＲＦＩＤ（Radio Frequency IDentification）チップから、外部機器の識別情報を読み取る。機器特定部１０９ｂは、識別情報読取部６１ｂで読み取られた外部機器５００の識別情報を用いて、外部機器５００との通信経路を特定する。
【０１０２】
通信制御部１１０ｂは、機器特定部１０９ｂにより特定された通信経路に基づき、ネットワークインターフェース部９１を用いて外部機器５００ｂとの無線通信を行い、外部機器５００ｂ内に記憶されている画像形成対象の画像データを取得する。
【０１０３】
画像形成制御部１０１ｂは、通信制御部１１０ｂによる通信により得られた画像データに基づく画像形成を画像形成部１２に行わせる。
【０１０４】
以上説明したように、上記の実施の形態３にかかる画像形成装置１ｂでは、画像形成制御部１０１ｂが、予め定められたユーザー操作を受け付けた場合、原稿載置台６１に載置された外部機器５００との通信を行い、当該通信により外部機器５００の表示部に表示された画像データを取得し、その画像データに基づく画像形成を、画像形成部１２に実行させる。
【０１０５】
上記の構成によれば、外部機器５００の表示部に表示された画像データに基づく画像形成を指示する新たな操作方法を提供することができ、ユーザーによる操作の幅を広げることができる。
【０１０６】
また、「原稿載置台６１に外部機器５００を載置する」「その後、操作部４７のコピーボタンの押下する」という従来原稿をコピーする際に行っていた操作と同じ操作で、外部機器５００の表示部に表示された画像データを画像形成させることができるため、あたかも、外部機器５００の表示部に表示された画像を原稿搬送部６で搬送し原稿読取部５で光学的に読み取って画像を形成しているかのような操作感を、ユーザーに与えることができる。
【０１０７】
＜変形例＞
なお、本発明は上記の実施の形態の構成に限られず種々の変形が可能である。
【０１０８】
上記の実施の形態では、画像形成装置１の制御ユニット１０のＣＰＵが、第１のプログラム９３及び第２のプログラム９４を実行し、第１の制御部１００及び第２の制御部１０４として機能する場合を説明したが、本発明は必ずしもこの場合に限られない。例えば、原稿読取装置２０に内蔵されたＣＰＵが、第１のプログラム９３及び第２のプログラム９４を実行し、第１の制御部１００及び第２の制御部１０４として機能する構成としてもよい。
【０１０９】
図１４Ａは、変形例にかかる画像形成システム１０００の外観を示す斜視図であり、原稿押さえ部材１００６が閉じられた状態における外観を示す。図１４Ｂは、原稿押さえ部材１００６が開かれた状態における外観を示す。
【０１１０】
図１４Ａ及び図１４Ｂに示すように、画像形成システム１０００は、画像形成装置１０１１と、原稿読取装置１０２０と、を備えている。画像形成装置１０１１と原稿読取装置１０２０とは、画像形成装置１０１１の接続端子１４７２Ｃと原稿読取装置１０２０の接続端子１４７２Ａとの間に設けられたケーブル１１００により接続されている。
【０１１１】
画像形成装置１０１１は、上記の実施の形態で示した画像形成装置１と異なり原稿読み取り機能を備えない。画像形成装置１０１１は、原稿読取装置１０２０により読み取られた画像データを、ケーブル１１００を通じて取得し、当該取得した画像データに基づく画像形成を実行する。
【０１１２】
原稿読取装置１０２０は、原稿読取部１００５と、原稿搬送部１００６とを備えている。図１４Ｂに示すように、原稿読取部１００５の原稿押さえ部材１１６２は、上記の実施の形態にかかる画像形成装置１と同様に、液晶ディスプレイ等を含んで構成される表示部１１６５を有している。
【０１１３】
ここで、画像形成システム１０００は、上記の実施の形態にかかる画像形成装置１と同様に、所謂ＰＣとしても利用可能であって、原稿の読み取り、画像の形成、ファクシミリ通信等を行う第１の動作モードに加えて、所謂ＰＣとしての情報処理を行う第２の動作モードを有する。表示部１１６５は、原稿押さえ部材１１６２が開かれた状態において、上記の第２の動作モードにおける所謂ＰＣとしての情報処理を表示する画面として用いられる。
【０１１４】
第２の動作モードにおける所謂ＰＣとしての情報処理は、画像形成装置１０１１に内蔵されたＣＰＵにより実行される。画像形成装置１０１１は、その実行結果を、ケーブル１１００を通じて原稿読取装置１０２０に出力する。原稿読取装置１０２０は、画像形成装置１０１１から出力されたデータに基づく画面（図１４Ｂに示す例では画面Ｄ５）を表示部１１６５に表示させる。
【０１１５】
また、原稿読取装置１０２０には、キーボード等の入力装置１４７１と、マウス等のポインティングデバイス１４７４とを含む操作装置１０４７を接続可能な接続端子１４７２Ｂが設けられている。当該接続端子１４７２Ｂに操作装置１０４７を接続することで、ユーザーは、第２の動作モードにおいて、表示部１１６５に表示される画面に対する操作を入力することができる。
【０１１６】
変形例にかかる画像形成システム１０００は、上記で説明した構成を有するため、上記の実施の形態１にかかる画像形成装置１と同様の効果を有する。
【０１１７】
また、変形例にかかる画像形成システム１０００では、例えば、作業台上に表示装置としての機能を果たす原稿読取装置１０２０を配置し、サイドテーブルや床上に所謂ＰＣとしての処理を行う画像形成装置１０１１を配置するといった使用形態を採ることができる。このため、画像形成システム１０００を第２の動作モードで動作させる場合において、作業台上に配置される構成を減らすことができる。
【符号の説明】
【０１１８】
１、１ａ  画像形成装置
５        原稿読取部
５Ａ      原稿読取部筐体
６        原稿搬送部
１０、１０ａ  制御ユニット
１１      装置本体
１２      画像形成部
２０      原稿読取装置
４７      操作部
６１      原稿載置台
６５      原稿搬送機構
９２      記憶部
９３      第１のプログラム
９４      第２のプログラム
１００、１００ａ  第１の制御部
１０１、１０１ａ  画像形成制御部
１０２    スキャナー制御部
１０３    ファクシミリ制御部
１０４    第２の制御部
１０５    情報処理部
１０６    描画処理部
１０７    ネットワーク制御部
１０８、１０８ａ  動作決定部
１０９    機器特定部
１１０    通信制御部
１６１    コンタクトガラス
１６２    原稿押さえ部材
１６３    原稿読取ユニット
１６４    開閉検知センサー
１６５    表示部
４７１    指示キー
４７３    表示パネル
４７４    接続端子
５００    外部機器
５０１    表示部
９３１    第１のオペレーティングシステム
９３２    第１のアプリケーション
９４１    第２のオペレーティングシステム
９４２    第２のアプリケーション
【図１】
2015080130.tif 000003
【図２】
2015080130.tif 000004
【図３】
2015080130.tif 000005
【図４】
2015080130.tif 000006
【図５】
2015080130.tif 000007
【図６】
2015080130.tif 000008
【図７】
2015080130.tif 000009
【図８】
2015080130.tif 000010
【図９】
2015080130.tif 000011
【図１０】
2015080130.tif 000012
【図１１】
2015080130.tif 000013
【図１２】
2015080130.tif 000014
【図１３】
2015080130.tif 000015
【図１４Ａ】
2015080130.tif 000016
【図１４Ｂ】
2015080130.tif 000017